(57)【要約】      （修正有）【課題】ディーゼルエンジンの排気温度の温度計にあって、高温化での使用による耐高温度性とエンジンの振動に対する耐震性を有する排気用温度計を提供し、特に従来使用されてきた温度計自体の保護のためのアスベストに代えて同等以上の効果を有する排気用温度計の提供をする。【解決手段】筐体上部に温度表示を行なう温度計の表示部と筐体下部に温度を検温する検温部を有する筐体内部に温度計を有し、両端を環状に構成して両端の環状間を外部に屈曲突出した板バネ部で連設した金属製の固定用円筒バネ部材を筐体内の温度計に挿通して温度計と筐体内周面とを弾圧状態で隔離する排気用温度計によって解決する。【選択図】図１
0003130262.tif 000002
【実用新案登録請求の範囲】
【請求項１】
筐体上部に温度表示を行なう温度計の表示部を有すると共に筐体下部に温度を検温する検温部を有する筐体内部に温度計を有する排気用温度計であって、
両端を環状に構成して該両端の環状間を外部に屈曲突出した板バネ部で連設した金属製の固定用円筒バネ部材を、
筐体内の温度計に挿通して温度計と筐体内周面とを弾圧状態で隔離することを特徴とする排気用温度計。
【請求項２】
固定用円筒バネ部材の両端が円筒形環によって構成したことを特徴とする請求項１記載の排気用温度計。
【請求項３】
固定用円筒バネ部材の板バネ部が円周周りに少なくとも計３箇所以上有することを特徴とする請求項１又は２のいずれかに記載の排気用温度計。
【請求項４】
固定用円筒バネ部材の板バネ部が円周周りに均等に有することを特徴とする請求項３記載の排気用温度計。
【請求項５】
排気用温度計が、温度表示を行なう温度計の表示部を覆う上部筐体と、温度計の検温部を覆う下部筐体とからなり、上部筐体と下部筐体の両者をジョイント部で連結する筐体内の該ジョイント部内の温度計に固定用円筒バネ部材を配設したことを特徴とする請求項１乃至４のいずれかに記載の排気用温度計。
【請求項６】
温度計の検温部に固定用円筒バネ部材を配設して、該検温部を覆う下部筐体内周面又は感温筒内周面とを弾圧状態で隔離することを特徴とする請求項１乃至５のいずれかに記載の排気用温度計。
【請求項７】
両端を円筒形環に構成して該両端の円筒形環の間を外部に屈曲突出した板バネ部で連設した耐熱性の固定用円筒バネ部材であって、
筐体内で筐体内の温度計に該両環部間を貫通し、該板バネ部で温度計と筐体の内周面とを弾圧状態で隔離することを特徴とする排気用温度計の固定用円筒バネ部材。
【請求項８】
固定用円筒バネ部材の板バネ部が円周周りに少なくとも計３箇所以上有することを特徴とする請求項７記載の固定用円筒バネ部材。
【請求項９】
固定用円筒バネ部材の板バネ部が円周周りに均等に有することを特徴とする請求項８記載の固定用円筒バネ部材。
【考案の詳細な説明】
【技術分野】
【０００１】
本考案は、ディーゼルエンジンの排気用温度計に関するものであり、特に耐熱性及び耐振動性を有する排気用温度計及び排気用温度計の固定用円筒バネ部材に関する。
【背景技術】
【０００２】
ディーゼルエンジンの排気用温度計は、ディーゼルエンジンの排気管に設置することから、排気の高温及びエンジンの振動にそれぞれ耐えうるための耐熱性と耐振動性を有するものであることが要求されている。
係るために、まず実公昭５３-１９１０７号(特許文献１)に示すディーゼルエンジン冷却水温度計と実公昭５３-１９１０８号（特許文献２）に示すディーゼルエンジンの排気用温度計が存在する。
何れも高温化での使用とエンジンの振動に耐えうる耐震性を有する構造で構成されているものある。
【特許文献１】実公昭５３-１９１０７号
【特許文献２】実公昭５３-１９１０８号
【考案の開示】
【考案が解決しようとする課題】
【０００３】
以上の様に、ディーゼルエンジンの排気用温度計に関しては前記の通り高温という条件と振動に耐えうるという二種類の条件を何れも満たすことが必要であり、まず前記特許文献１においては、エンジンの振動に対して温度計の上下両端部を枠体の上下両端の円孔部内にパッキングを介して挿通、直接固着することによって温度計の振動は損を防止するものである。
更に、前記特許文献２は、温度計の中央部に円筒形状中部パッキングを挿入し、上端部に上部パッキング、下部に下部パッキングを有する構成を示している。
【０００４】
この三箇所のパッキングによって温度計の振動を防ぐものである。
しかしいずれの場合にも高温及び激震に耐えうるパッキング素材自体が例えばアスベストによって構成されるものであり、更に温度計の下部の検温部の周囲に関しても、その周囲をアスベストが覆って構成するものであった。
これはアスベストの耐熱性の高さ及び繊維質としてのクッション材としての耐震性の高さに鑑みて用いられてきたものである。
【０００５】
しかし、現在アスベストに関しては極めて微細な塵として浮遊し、この繊維質性に基づく気管支類への付着に基づく健康被害によりこのアスベストに代えて何らかの耐熱性及び耐震性を有する温度計の保護部材が望まれるものである。
特に、健康被害を有さず、排気用温度計として用いることができ、更には高温化に耐え勝つエンジンの振動に対して温度計を有効に保護しうる何らかの保護部材及びこの保護部材を 有する排気用温度計の提供が望まれているものである。
【課題を解決するための手段】
【０００６】
係る課題を解決するため請求項１に係る考案は、筐体上部に温度表示を行なう温度計の表示部を有すると共に筐体下部に温度を検温する検温部を有する筐体内部に温度計を有する排気用温度計であって、両端を環状に構成して該両端の環状間を外部に屈曲突出した板バネ部で連設した金属製の固定用円筒バネ部材を、筐体内の温度計に挿通して温度計と筐体内周面とを弾圧状態で隔離する排気用温度計からなるものであって、かかる構成によって前記課題を解決できる。
【０００７】
又、請求項２に係る考案は固定用円筒バネ部材の両端が円筒形環によって構成した排気用温度計からなり、かかる構成であってもよい。
更に、請求項３に係る考案のように固定用円筒バネ部材の板バネ部が円周周りに少なくとも計３箇所以上有する排気用温度計であっても、或いは請求項４に係る考案のように固定用円筒バネ部材の板バネ部が円周周りに均等に有する排気用温度計であってもよい。
【０００８】
これらのほか、請求項５に係る考案である排気用温度計が、温度表示を行なう温度計の表示部を覆う上部筐体と、温度計の検温部を覆う下部筐体とからなり、上部筐体と下部筐体の両者をジョイント部で連結する筐体内の該ジョイント部内の温度計に固定用円筒バネ部材を 配設した排気用温度計を用いても、又、請求項６に係る考案のように温度計の検温部に固定用円筒バネ部材を配設して、該検温部を覆う下部筐体内周面又は感温筒内周面とを弾圧状態で隔離する排気用温度計であってもよい。
【０００９】
これら排気用温度計自体の他、請求項７に係る考案のように両端を円筒形環に構成して該両端の円筒形環の間を外部に屈曲突出した板バネ部で連設した耐熱性の固定用円筒バネ部材であって、筐体内で筐体内の温度計に該両環部間を貫通し、該板バネ部で温度計と筐体の内周面とを弾圧状態で隔離する排気用温度計の固定用円筒バネ部材を用いる構成であってもよい。
この場合、請求項８に係る考案のように固定用円筒バネ部材の板バネ部が円周周りに少なくとも計３箇所以上有する固定用円筒バネ部材でも、請求項９に係る考案のように固定用円筒バネ部材の板バネ部が円周周りに均等に有する固定用円筒バネ部材であってもよい。
【考案の効果】
【００１０】
以上のように構成したことから、ディーゼルエンジンの排気用温度計に従来使用していた健康被害などが心配であるアスベストを使用しなくともすむこととなったという大きな利点を有する。
特に、請求項１に係る考案によって、板バネ部で連設した金属製の固定用円筒バネ部材が温度計を保護することとなり、ディーゼルエンジンの高振動などに際して温度計自体が筐体に触れて破損等することを防止できるものである。
さらに係る構成はディーゼルエンジンの極めて高温度の排気温度に対しても用いることができる。
また、弾圧状態で支持できるものであって、温度計の安定状態での使用を確保できることとなる。
【００１１】
次に請求項２に係る考案によって、円筒形状の温度計を固定用円筒バネ部材の両端が円筒形環に挿入できると共に該両端の円筒形環の間に板バネ部を架設することができるものとなる。
従って、温度計の挿入と共に板バネ部の支持もきっちりとかつ効率よく行なえるという効果を有する。
又請求項３に係る考案によって、固定用円筒バネ部材の板バネ部が円周周りに少なくとも計３箇所以上有することから、複数の板バネ部で弾圧支持できることとなり、少なくとも三箇所以上において温度計を位置規制することができることとなる。
更に請求項４に係る考案のように板バネ部を円周周りに均等に有することによって、エンジンの振動が不特定の周囲のいずれかから受けた場合でも、板バネ部による温度計の支持を行なうことができると共に安定的に弾圧支持できるものである。
【００１２】
又請求項５に係る考案のように上部筐体と下部筐体の両者のジョイント部に固定用円筒バネ部材を用いることによって、該バネ部材による支持が一方の端部に偏らず、温度計の中央部付近で支持できることとなる。
従って、一般的な上部筐体部の上部での温度計の支持のほかに筐体の中央部分付近で温度計を弾圧支持できることによってエンジンの高振動に充分に耐えうる排気用温度計の提供ができる。
又、請求項６に係る考案により温度計の検温部を固定用円筒バネ部材で弾圧支持でき、下部筐体内周面又は感温筒内周面とを弾圧状態で隔離することができるものであり、エンジンの高振動によっても温度計の特に検温部を保護できるものとなる。
【００１３】
次に請求項７に係る考案によって、温度計を弾圧状態で外周部と隔離し、さらに安定的に支持することができるものであり、ディーゼルエンジンの高振動及び高温度下での使用に際して破損等を防ぐことができると共に温度計を安定的に位置規制して検温することができる。
又、請求項８に係る考案によって、多数の板バネ部で支持できることとなり耐振動性の効率を高めることができ、請求項９に係る考案によって円周周りに均等に弾圧支持でき、外周のいずれの箇所からの振動にも耐えうることができることとなり、耐振動性の効果が高まるものである。
【考案を実施するための最良の形態】
【００１４】
本考案に係る排気用温度計の一例を図１に示す。
本図に示す排気用温度計は、その上部の筐体１内には温度表示を行なう温度計２の表示部２０を有すると共に下部は、温度を検温する検温部２１を有する。
該上部筐体部１０内の上端部では温度計２の上部が係止部１３によって筐体１に係止されているものである。
この上部筐体部１０はジョイント部１０１、１１１を介してロックナット１２で下部の検温部２１を収納する下部筐体部１１が連設されている。
【００１５】
この場合上部筐体部１０は温度表示部２０を視認可能に収納する保護枠１５からなるものであり、下部筐体部１１は検温部２１を保護する保護管１１２からなっている。
このジョイント部１０１、１１１内において両端を円筒形環３０として、該両端の円筒形環３０間を外部に屈曲した板バネ３１で連設した固定用円筒バネ部材３が温度計２に貫通して該ジョイント部１０１、１１１内で温度計２を係止するものである。
即ち、固定用円筒バネ部材３の両端部の円筒形環３０に温度計２が貫通し、更に両者間を連設する板バネ３１がジョイント部１０１、１１１分の内周面に弾圧するものであり、定位置で温度計２の位置をきっちりと位置決めできるものである。
【００１６】
この場合、該固定用円筒バネ部材３は、金属で構成されるものであり、耐熱性をきっちりと確保できるものである。
更に、振動を受けた場合には該板バネ３１によって温度計２がジョイント内部に接することがなく振動によって温度計２が筐体１内部に触れて破損することを防ぐことができる。
以上のように、該固定用円筒バネ部材３を温度計２にはめて筐体１内例えば本図においてはジョイント部１０１、１１１内定置させることによって、温度計２の破損を防止できるものである。
【００１７】
図２は、図１に示す固定用円筒バネ部材３を示す図である。
本図に示すように、両端部分はそれぞれ円筒形環３０からなり、両環３０、３０は外部に屈曲突出形状の板バネ部３１によって連設されているものである。
特に該板バネ部３１は円周周りに計５箇所設けられているものである。
この様に構成することによって、該板バネ部３１によって中心部の温度計２から筐体１内周とを一定の間隔をあけて隔離することができ、更に板バネ３１によって弾圧状態で中心部に温度計２を位置させることができ、筐体１内周との接触を防止できるものである。
【００１８】
尚、この板バネ３１は円周周りに計５箇所設けられているが、この構成に限らず例えば均等に３箇所配置したものであっても、或いは４箇所配置したものであってもよく、更には６箇所以上有するものであってもよい。
又、両端部の円筒形環３０の形状の本図構成は一例であり、これに限定されるものではなく、少なくとも温度計２を中心部に位置させて弾圧するための板バネ部３１を連設可能な構成であればよい。
したがって単なる輪であっても、或いは温度計２の外周を一周するものでなく切れ目のある弧状形状からなる環等であってもよい。
又、この固定用円筒バネ部材３は金属を前提に明示したが例えば高温に耐えることの可能な結晶化樹脂部材などの耐熱性の素材によって構成されたものであってももちろんよい。
【００１９】
図３は、固定用円筒バネ部材３が内在する図１に示す排気用温度計を示す図である。
図４は、本考案に係る排気用温度計の他の一例を示す図であり、固定用円筒バネ部材３を二箇所有している一例である。
本図に示す構成は、まず図１に示す構成と同様にジョイント部１０１、１１１内に固定用円筒バネ部材３を有するものであるが、この他、更に本図構成においては、下部筐体部１１内に更に感温筒部１４を有し、該感温筒部１４内において、更に温度計２の検温部２１に固定用円筒バネ部材３を有しており、この固定用円筒バネ部材３によって内筒である感温筒１４内にある温度計２の検温部２１が感温筒１４内周面に接することを防止でき、エンジンの振動などに伴う該温度計２の強震による破損を防止できる。
【００２０】
尚、本図構成においては、感温筒１４を有し、その内部において固定用円筒バネ部材３を有する構成を示すが、この構成に限らず例えば下部筐体部１１内において、感温筒を有さずに該下部筐体１１である例えば保護管１１２の内周面との接触を防止するために固定用円筒バネ部材３を有する構成であってももちろんよい。
【図面の簡単な説明】
【００２１】
【図１】本考案に係る排気用温度計の一例を示す図
【図２】本考案に係る排気用温度計の固定用円筒バネ部材
【図３】本考案に係る排気用温度計の一例を示す図
【図４】本考案に係る排気用温度計の他の一例を示す図
【符号の説明】
【００２２】
１      筐体  
１０    上部筐体
１０１  ジョイント部
１１    下部筐体
１１１  ジョイント部
１１２  保護管
１２    ロックナット
１３    係止部
１４    感温筒
１５    保護枠
２      温度計
２０    表示部
２１    検温部
３      固定用円筒バネ部材
３０    円筒形環
３１    板バネ部
【図１】
0003130262.tif 000003
【図２】
0003130262.tif 000004
【図３】
0003130262.tif 000005
【図４】
0003130262.tif 000006